(57)【特許請求の範囲】
【請求項１】
硬貨が搬送される搬送面と、該搬送面に沿って設けられたガイド壁と、該ガイド壁に沿って搬送される硬貨を落下させて選別するために前記搬送面に設けた矩形状の複数の選別孔とを備え、前記選別孔は金種毎の硬貨の直径と同等の幅で、かつ硬貨の搬送方向の上流から幅の小さい順に並んでいる硬貨処理装置において、
前記ガイド壁から離れた状態で搬送された硬貨がその金種と異なる金種を選別する選別孔へ誤落下するのを防止する誤落下防止部を備え、
該誤落下防止部は、前記選別孔の前記ガイド壁に近い辺に沿って設けられ、前記ガイド壁と反対の方向に向かって下方へ傾斜するスロープとしたことを特徴とする硬貨処理装置。
【請求項２】
請求項１に記載の硬貨処理装置において、
前記選別孔の硬貨搬送方向下流側の辺に沿ってガイド部を設け、該ガイド部は硬貨搬送方向上流側に向かって下方へ傾斜するスロープとしたことを特徴とする硬貨処理装置。
【請求項３】
硬貨が搬送される搬送面と、該搬送面に沿って設けられたガイド壁と、該ガイド壁に沿って搬送される硬貨を落下させて選別するために前記搬送面に設けた矩形状の複数の選別孔とを備え、前記選別孔は金種毎の硬貨の直径と同等の幅で、かつ硬貨の搬送方向の上流から幅の小さい順に並んでいる硬貨処理装置において、
前記ガイド壁から離れた状態で搬送された硬貨がその金種と異なる金種を選別する選別孔へ誤落下するのを防止する誤落下防止部を備え、
前記誤落下防止部は、前記選別孔の前記ガイド壁から遠い辺に沿って前記搬送面上に設けられた上面ガイド材とし、該上面ガイド材は前記搬送面との間に硬貨の外周部を挟むように段差を有することを特徴とする硬貨処理装置。
【請求項４】
請求項３に記載の硬貨処理装置において、
前記上面ガイド材を、回転支点を介して前記搬送面上に設けたことを特徴とする硬貨処理装置。
【請求項５】
請求項３または請求項４に記載の硬貨処理装置において、
前記上面ガイド材を、透明材料によって構成したことを特徴とする硬貨処理装置。
【発明の詳細な説明】
【技術分野】
【０００１】
本発明は、回転円盤によって一枚ずつ繰出した硬貨を金種毎に選別して集積する硬貨処理装置に関する。
【背景技術】
【０００２】
従来の硬貨処理装置は、回転円盤を回転させることにより一括して投入された多数枚の硬貨を１枚ずつ分離して搬送部に送り出し、搬送部に設けた走行速度が異なる２本のベルトによって硬貨をガイド壁に寄せながら搬送し、搬送路上に設けられ硬貨の金種の大きさに合わせて開口する複数の選別孔に硬貨を落とすことで硬貨を金種毎に選別し集積している（例えば、特許文献１参照。）。
【特許文献１】特開平６−８４０３９号公報（段落「００２８」−段落「００３０」、第１図）
【発明の開示】
【発明が解決しようとする課題】
【０００３】
しかしながら、上述した従来の技術においては、２本のベルトの走行速度を変えることで硬貨をガイド壁に寄せるようにしているが、キズがついた硬貨を搬送したときや搬送路に異物が付着している場合は硬貨が搬送中にガイド壁から離れてしまうことがあり、そのような場合硬貨は通常では通過するはずの選別孔に誤落下してしまい、その結果硬貨の違算が生じるという問題がある。
【０００４】
本発明は、上記の問題点を解決するための手段を提供することを目的とする。
【課題を解決するための手段】
【０００５】
本発明は、上記課題を解決するために、硬貨が搬送される搬送面と、該搬送面に沿って設けられたガイド壁と、該ガイド壁に沿って搬送される硬貨を落下させて選別するために前記搬送面に設けた矩形状の複数の選別孔とを備え、前記選別孔は金種毎の硬貨の直径と同等の幅で、かつ硬貨の搬送方向の上流から幅の小さい順に並んでいる硬貨処理装置において、前記ガイド壁から離れた状態で搬送された硬貨がその金種と異なる金種を選別する選別孔へ誤落下するのを防止する誤落下防止部を備え、該誤落下防止部は、前記選別孔の前記ガイド壁に近い辺に沿って設けられ、前記ガイド壁と反対の方向に向かって下方へ傾斜するスロープとしたことを特徴とする。
【発明の効果】
【０００６】
これにより、本発明は、硬貨がガイド壁から離れたために、その硬貨と異なる金種の硬貨を選別する選別孔に落ちてしまうのを防止して、硬貨の違算が生じるのを防止することができるという効果が得られる。
【発明を実施するための最良の形態】
【０００７】
以下に、図面を参照して本発明による硬貨処理装置の実施例について説明する。
【実施例１】
【０００８】
図１は本発明の硬貨処理装置を示す上面図である。
図１において、１は硬貨処理装置である。
２は円盤としての回転円盤であり、供給された硬貨を集積し、図示しない駆動源により回転する。
３は円盤ガイドであり、回転円盤２の回転により硬貨が遠心力で飛び出さないようにするために回転円盤２の外周を囲む円筒状の周壁である。
【０００９】
なお、本実施例の説明では回転円盤２として説明するが、円盤としては所定の振動を与えることにより円盤ガイド３に沿わせて分離する方式を用いた振動円盤であってもよい。
４はゲートであり、回転円盤２の上面から硬貨１枚分の厚さを超え、２枚分の厚さ未満の隙間が空くように円盤ガイド３の一部を切欠いて設けられ、回転円盤２に集積された硬貨を一枚ずつ分離する機能を有している。
【００１０】
５は搬送部であり、ゲート４から回転円盤２の外周に沿って連なって硬貨の移動方向へと延びる搬送面６と、その搬送面６と対向する図示しない複数のプーリにループ状に巻き掛けられた搬送ベルト７とによって構成される。
搬送ベルト７は、図示しない駆動源によってプーリが回転したときに、その回転が伝達して駆動するようになっており、ゲート４から分離した硬貨を搬送面６との間に挟み込んで搬送する。
【００１１】
８はガイド壁であり、搬送部５に沿って設けられ、搬送される硬貨の位置を規制する。
９は硬貨鑑別部であり、搬送部５により搬送された硬貨の真偽や正損、金種等を鑑別する機能を有する。
１０はリジェクト孔であり、硬貨鑑別部９で鑑別した異物やリジェクト硬貨を落とすように搬送面６に設けられた開口であって、ガイド壁８側に設けた図示しないブレードが搬送面６の上方に傾いたときに異物がリジェクト孔１０上に寄せられて落ちるようになっている。
【００１２】
１１は選別孔部であり、搬送面６に矩形状に開口する複数の選別孔１２を設けたことによって成り、それぞれの選別孔１２はその幅が金種毎の硬貨の直径とほぼ同等となるように形成されて対応する金種の硬貨を確実に落下させるようになっている。また選別孔１２は硬貨の搬送方向上流から下流にかけて開口の幅が小さいものから大きいものへと順に並んでおり、これによって搬送される硬貨は径が小さい金種から順番に選別孔１２に落ち、これによって金種毎に選別するようにしている。
【００１３】
１３は硬貨通過検知センサであり、光学式等のセンサであって、各選別孔１２の搬送方向の手前に設置されており、硬貨の通過を検知する。
図２は選別孔を示す説明図であって（ａ）は上面図、（ｂ）は斜視図を示している。
図２において、１５は誤落下防止スロープ（誤落下防止部）であり、各選別孔１２のガイド壁８に近い辺に沿って設けられ、開口へと延びるように下方へ斜行するよう形成されている。
【００１４】
１６は後縁スロープであり、各選別孔１２の搬送方向下流側の辺に設けられ、開口に向かって下方へ斜行するように形成されている。
なお、図２（ａ）に示す選別孔１２のガイド壁８から遠い端とガイド壁８までの間隔Ｌは、その選別孔１２で選別する対象の硬貨Ｃの径よりも大きく、かつその選別孔１２の上を通過する硬貨Ｃの径よりも小さくなるように定めている。
【００１５】
上述した構成の作用について説明する。
回転円盤２に硬貨Ｃが供給されると、硬貨処理装置１は回転円盤２を回転させることで、回転円盤２上の硬貨Ｃをゲート４を介して１枚ずつ分離して、その端部がガイド壁８に沿うようにして搬送部５に繰り出されていく。
そして、搬送部５の搬送面６と搬送ベルト７との間で硬貨Ｃを挟み込み、ガイド壁８に沿わせながら硬貨鑑別部９に搬送し、硬貨鑑別部９で硬貨Ｃの鑑別を行う。
【００１６】
硬貨鑑別部９によって硬貨Ｃが正常であると鑑別すると、搬送部５によってその硬貨Ｃを選別孔部１１へ搬送し、搬送された硬貨Ｃはその金種に応じた選別孔１２へ落ちて金種毎に選別される。
ここで、図３はガイド壁から離れた状態で選別孔を通過する硬貨を示す正面図であり、図４は実施例１の選別孔に硬貨が正常に落下する様子を示す説明図である。
【００１７】
搬送される硬貨Ｃがガイド壁８から離れた状態で搬送されたときに、その端部が選別孔１２上に差し掛かって硬貨Ｃ全体が選別孔１２の開口側に傾いたとき、図３に示すように硬貨Ｃの端部が誤落下防止スロープ１５に当接する。
そして硬貨Ｃの径がその選別孔１２に対して大きい場合、硬貨Ｃの端部が誤落下防止スロープ１５に当接して支持されたままさらに搬送され、選別孔１２の上を通り過ぎるが、このとき選別孔１２に設けられている後縁スロープ１６に硬貨Ｃが乗り上げてガイドされる。
【００１８】
一方、硬貨Ｃが差し掛かった選別孔１２がその硬貨Ｃを選別する大きさの開口、つまり硬貨Ｃの径よりも大きい開口の場合、硬貨Ｃは図４に示すように誤落下防止スロープ１５に当接している端と反対側の端が選別孔１２へと倒れるように傾き、そのまま選別孔１２に落ちるようになる。
以上説明したように、本発明では、選別孔に誤落下防止スロープを設けたことによって搬送されてくる硬貨がガイド壁から離れていて、その硬貨の一部が選別孔に落ちるように傾いても誤落下防止スロープによって受止め、硬貨の誤落下を防止することができるため、硬貨の違算の発生を防止して硬貨の検銭を安定して行うことができる。
【実施例２】
【００１９】
上記実施例１と同様の部分は同一の符号を付してその説明を省略する。
また本実施例は、上記実施例１の誤落下防止スロープ１５の代わりに上面ガイド材２０を設けた点が相違する。
図５は実施例２の硬貨が選別孔を通過する様子を示す説明図である。
図５において、２０は上面ガイド材（誤落下防止部）であり、選別孔１２のガイド壁８から遠い辺に沿うようにして搬送面６に設けられ、搬送面６から垂直方向に延びる垂直部材２０ａと搬送面６との間で一定の間隔で選別孔１２のガイド壁８に近い端部と対向する端部の上方に延びる上部材２０ｂとで段差を形成するように構成され、上部材２０ｂと搬送面６との間隔は最も厚みがある硬貨が通過できる程度の間隔となるように構成されている。
【００２０】
これによって、ガイド壁８から離れた状態で硬貨Ｃが搬送されて、その硬貨Ｃが選別孔１２の上を通過する場合、図５に示すように硬貨Ｃの一部の端が選別孔１２上に差し掛かることでその端が選別孔１２に落ちるように硬貨Ｃが傾いたときに、搬送面６と上面ガイド材２０の上部材２０ｂとの間で硬貨Ｃの外周部を挟んで、その外周部が浮き上がってしまうのを抑えるように作用し、硬貨Ｃの誤落下を防止する。
【００２１】
以上説明したように、本実施例はガイド壁から離れたまま搬送された硬貨が選別孔に差し掛かったときに、硬貨の一部が選別孔に落ちるように傾いても上面ガイド材２０によってその傾きを抑えて硬貨の誤落下を防止し、硬貨の違算の発生を防止して硬貨の検銭を安定して行うことができる。
また、上記実施例２において、上面ガイド材を設けたことによって保守点検の際に上面ガイド材によって搬送面６の一部が隠れてしまい視認しづらくなってしまうことがある。そこで図６に示すように、上面ガイド材２０を回転支点を介して搬送面６に取り付けるようにしてもよく、このようにしたことによって保守点検等の際に上面ガイド材２０を持ち上げて保守員による視認可能な範囲が広がり、保守点検を容易に行うことができるという効果が得られる。
【００２２】
さらに、上記実施例２において、上面ガイド材２０を透明な樹脂材等によって構成してもよく、そのようにすることによって搬送路の上面ガイド材２０で隠れていた箇所が見えるようになり、保守点検の際にそのような箇所で異物が残留しているか否かの確認が容易になるという効果が得られる。
【図面の簡単な説明】
【００２３】
【図１】本発明の硬貨処理装置を示す上面図
【図２】選別孔を示す説明図
【図３】ガイド壁から離れた状態で選別孔を通過する硬貨を示す正面図
【図４】実施例１の選別孔に硬貨が正常に落下する様子を示す説明図
【図５】実施例２の硬貨が選別孔を通過する様子を示す説明図
【図６】上面ガイド材を回転支点を介して取り付けた様子を示す説明図
【符号の説明】
【００２４】
１    硬貨処理装置
２    回転円盤
３    円盤ガイド
４    ゲート
５    搬送部
６    搬送面
７    搬送ベルト
８    ガイド壁
９    硬貨鑑別部
１０  リジェクト孔
１１  選別孔部
１２  選別孔
１３  硬貨通過検知センサ
１５  誤落下防止スロープ
１６  後縁スロープ
２０  上面ガイド材
２０ａ  垂直部材
２０ｂ  上部材
【図１】
0005186918.tif 000002
【図２】
0005186918.tif 000003
【図３】
0005186918.tif 000004
【図４】
0005186918.tif 000005
【図５】
0005186918.tif 000006
【図６】
0005186918.tif 000007